(57)【要約】【課題】  脚体の上端に天板を水平に取付けて成るカウンターテーブルであって、軽くて組み立て易く、取扱いが便利なカウンターテーブルの提供。【解決手段】  脚体１は金属製の桟を枠組みしてボードを嵌めた複数枚のパネル３ａ，３ｂ・・を上連結金具１０と下連結金具１１によって連結して構成し、そして脚体１の下端にはアジャスターネジ４を取付けると共に、上端には天板２を載せて止金具５，５・・を介してネジ止めしている。【選択図】    図１
2006061549.tif 000002
【特許請求の範囲】
【請求項１】
脚体の上端に天板を水平に取付けて成るカウンターテーブルにおいて、上記脚体は金属製の桟を枠組みしてボードを嵌めた複数枚のパネルを上連結金具と下連結金具によって連結して構成し、そして脚体の下端にはアジャスターネジを取付けると共に、上端には天板を載せて止金具を介してネジ止めしたことを特徴とするカウンターテーブル。
【請求項２】
上記脚体を構成するパネルは金属製の両縦桟と複数の横桟にて枠組みした枠体にボードを嵌めたもので、縦桟の側面開口には樹脂製のキャップを取付けると共にキャップ面は縦桟より僅かに外側へ突出し、そしてパネルを直線状に突合せたパネル連結部の下端には直線状の下連結金具及び上端には直線状の上連結金具を取付け、上下連結金具の各片先端には係止ツメを形成すると共に該係止ツメをパネルに設けた溝に嵌め、上連結金具はネジ止めされ、下連結金具にはアジャスターネジが取付けられ、更にパネル先端の縦桟下端に取付けたキャップにもアジャスターネジを取り付けた請求項１記載のカウンターテーブル。
【請求項３】
上記脚体を構成するパネルは金属製の両縦桟と複数の横桟にて枠組みした枠体にボードを嵌めたもので、縦桟の側面開口には樹脂製のキャップを取付けると共にキャップ面は縦桟より僅かに外側へ突出し、そしてパネルをＬ型に突合せたパネル連結部の下端にはＬ型の下連結金具及び上端にはＬ型の上連結金具を取付け、上下連結金具の各片先端には係止ツメを形成すると共に該係止ツメをパネルに設けた溝に嵌め、上連結金具はネジ止めされ、下連結金具にはアジャスターネジが取付けられ、更にパネル先端の縦桟下端に取付けたキャップにもアジャスターネジを取り付けた請求項１記載のカウンターテーブル。
【請求項４】
上記脚体を構成するパネルは金属製の両縦桟と複数の横桟にて枠組みした枠体にボードを嵌めたもので、縦桟の側面開口には樹脂製のキャップを取付けると共にキャップ面は縦桟より僅かに外側へ突出し、そしてパネルをＴ型に突合せたパネル連結部の下端にはＴ型の下連結金具及び上端にはＴ型の上連結金具を取付け、上下連結金具の各片先端には係止ツメを形成すると共に該係止ツメをパネルに設けた溝に嵌め、上連結金具はネジ止めされ、下連結金具にはアジャスターネジが取付けられ、更にパネル先端の縦桟下端に取付けたキャップにもアジャスターネジを取り付けた請求項１記載のカウンターテーブル。
【請求項５】
上記脚体を構成するパネルは金属製の両縦桟と複数の横桟にて枠組みした枠体にボードを嵌めたもので、縦桟の側面開口には樹脂製のキャップを取付けると共にキャップ面は縦桟より僅かに外側へ突出し、そしてパネルを十字型に突合せたパネル連結部の下端には十字型の下連結金具及び上端には十字型の上連結金具を取付け、上下連結金具の各片先端には係止ツメを形成すると共に該係止ツメをパネルに設けた溝に嵌め、上連結金具はネジ止めされ、下連結金具にはアジャスターネジが取付けられ、更にパネル先端の縦桟下端に取付けたキャップにもアジャスターネジを取り付けた請求項１記載のカウンターテーブル。
【発明の詳細な説明】
【技術分野】
【０００１】
本発明は金属製なかでもアルミ材にて枠組みした枠体にボードを嵌めた複数枚のパネルを脚体とし、該脚体上端に天板を取付けてなるカウンターテーブルに関するものである。
【背景技術】
【０００２】
カウンターテーブルはその用途により色々な形態が知られている。図１０は最も一般的なカウンターテーブルであり、両脚板(イ)、(イ)の上に長方形の天板(ロ)が水平に取付けられ、そして、両脚板(イ)、(イ)に跨って仕切り板(ハ)が天板(ロ)の前後中間位置に設けられている。ところで、該カウンターテーブルを構成する脚板(イ)、天板(ロ)、及び仕切り板(ハ)は一般的に木製、樹脂製、及び金属製と成っている。
【０００３】
図１１は三角形の天板(ニ)を備えたカウンターテーブルを示し、該天板(ニ)を支える脚体(ホ)は三角形を成している。このカウンターテーブルは長方形天板(ロ)を備えた図１０に示す２基のカウンターテーブルをＬ型に配置する際に、コーナーに設けられる。ところで、該カウンターテーブルの脚体(ホ)は三角形天板(ニ)の頂点側に片寄っている為に該天板(ニ)の手前側に座ることは出来るが、該カウンターテーブルの安定性が損なわれる。
【０００４】
図１２は前記長方形天板のカウンターテーブル２基をＬ型に配置すると共に、コーナーには三角形天板のカウンターテーブルを設けて構成している。これら３基のカウンターテーブルは所定の位置に配置されているだけであり、その為に位置ズレしないように、又転倒しないようにある程度の重量が必要である。すなわち、重く造っている。従って材料費が嵩み、組立ても容易でなく、搬送や取扱いも不便と成る。
【０００５】
従来のカウンターテーブルの天板は木材チップを固めたパーティクルボードにメラミン化粧板を貼り合わせたものであり、脚板や仕切り板はスチール板や木製のボードが使用されている。従って、重量的にはかなり重いカウンターテーブルとなり、安定性は向上するが取り扱い難く、部品の状態で購入しても素人では組立てることは容易でない。
【発明の開示】
【発明が解決しようとする課題】
【０００６】
このように、従来のカウンターテーブルには上記のごとき問題がある。本発明が解決しようとする課題はこれら問題点であり、軽くて組み立て易く、取扱いの便利なカウンターテーブルを提供する。
【課題を解決するための手段】
【０００７】
本発明に係るカウンターテーブルは脚体と天板から成り、脚体は複数枚のパネル及び該パネルを連結する為の下連結金具と上連結金具、そして脚体を適度な高さに支える為のアジャスターネジで構成している。上記上連結金具及び下連結金具は、脚体の形態に応じて、直線状金具、Ｌ型金具、Ｔ型金具、十型金具などが用いられている。そして、上下連結金具の各片先端には垂直に屈曲した係止ツメを有し、該係止ツメはパネルの上端及び下端に設けた溝に嵌る。
【０００８】
従って、互いに連結されるパネルの間に介在した上下連結金具の係止ツメは溝に嵌り、該上下連結金具が外れないようにネジ止めされる。下連結金具の場合には、止めネジの代わりに高さ調整機能を備えたアジャスターを取付けることが出来る。ところで、パネルは金属製の両縦桟と複数の横桟にて枠組みされた枠体にボードを嵌めて構成され、上記縦桟の側端は開口し、該開口には樹脂製のキャップが取付けられている。
【０００９】
そこで、パネルが連結される場合には、該樹脂製キャップが隣り合うパネルのキャップ、又は縦桟の側面に当接して配置され、上記上下連結金具によって連結される。そして、脚体の先端側であって連結金具が取付けられないパネルの縦桟下端に設けたキャップにはアジャスターネジが取付けられて支持することが出来る。
【００１０】
そして、天板は脚体上端に取付けられるが、脚体に固定した止金具にネジ止めにて固定される。ここで、天板の材質は例えばパーティクルボードの両面に化粧シートを貼り合わせたものである。又、脚体の中間高さには必要に応じて棚板を取付けることもある。
【発明の効果】
【００１１】
本発明のカウンターテーブルは、複数枚のパネルを連結した脚体と天板から成り、該パネルは金属製、なかでもアルミ製の枠体にボードを嵌めたもので重量は軽く、取り扱い易い。しかし、各パネルは上下連結金具を介して連結される為に、組み立てた脚体は堅固で安定し、その上端に取付けられる天板の安定性は向上する。そして、複数枚のパネルは上下連結金具を介して色々な脚体を構成することが出来るが、この組立て作業は素人でも可能である。勿論、該脚体上端に天板をネジ止めすることも容易である。そして、各種カウンターテーブルはその用途に応じて複数基を配列・組み合せて用いることが出来る。
【実施例】
【００１２】
図１、図２、図３はカウンターテーブルの具体例を示している。図１に示すカウンターテーブルはコ型脚体１と天板２から成り、脚体１は複数枚のパネル３ａ，３ｂ・・が連結して構成され、その上端に天板２が水平に取付けられる。両側にはパネル３ａ，３ｂが配置され、奥側にはパネル３ｃ，３ｄ・・が直線状に連結されている。そして、側部パネル３ａと奥側パネル３ｃとは垂直に連結し、同じく側部パネル３ｂと奥側パネル３ｅとは垂直に連結している。
【００１３】
図２のカウンターテーブルの脚体１は概略Ｈ型を成し、一方側にはパネル３ａ，３ｂが直線状に連結して配置され、反対側にはパネル３ｃ，３ｄが直線状に連結して配置されている。そして、両側パネル３ａ，３ｂ及び３ｃ，３ｄを繋ぐ中央パネル３ｅ，３ｆ，３ｇは直線状に連結されると共に、両側パネル３ａ，３ｂ及び３ｃ，３ｄに対して垂直を成している。
【００１４】
図３に示すカウンターテーブルのＬ型脚体１は２枚のパネル３ａ，３ｂが垂直に連結している。勿論、直線状に連結した２枚のパネル同士を垂直に連結したＬ型脚体１とすることも出来る。ところで、このように各パネル３ａ，３ｂ・・の連結には連結金具が用いられて、直線状に、Ｌ型に、又はＴ型に連結した脚体１が構成される。そして脚体１，１・・はその下端がアジャスターネジ４，４・・によって適度な高さに支持され、上端には止金具５，５・・が取着され、該止金具５，５・・を介して天板２がネジ止めされている。
【００１５】
図４はパネル３を表す実施例であり、両縦桟７，７及び複数の横桟８，８・・にて枠組みされた枠体には、ボード９，９・・が嵌っている。ここで、該ボード９の材質は特に限定せず、又該ボード９の取付け構造も自由である。例えば、ボードとして透明又は半透明なポリカーボネートを使用することが出来る。そして、パネル３の下端両側にはアジャスターネジ４，４が取付けられ、該アジャスターネジ４，４を調整することでパネル３の高さ調整が可能である。
【００１６】
図５は本発明に係るカウンターテーブルのパネル連結構造を示す実施例であり、上記パネル３ａ，３ｂは上連結金具１０と下連結金具１１にて連結される。上下連結金具１０，１１は細長い金属製板材であり、その両先端には係止ツメ１２，１２・・を形成している。そして、横桟８，８・・には溝１３，１３・・が設けられ、パネル上端に配置された上連結金具１０及びパネル下端に配置された下連結金具１１の係止ツメ１２，１２・・は溝１３，１３・・に嵌って係止する。
【００１７】
両パネル３ａ，３ｂに跨って配置された上連結金具１０はツマミネジ１４，１４を横桟８，８に設けたネジ穴に螺合することで外れないように押えられる。又、下連結金具１１は両パネル３ａ，３ｂの下端に跨って配置されると共に、アジャスターネジ４，４が該下連結金具１１に形成したネジ穴に螺合してパネル３ａ，３ｂは支えられる。この場合、下連結金具１１にも上記ツマミネジ１４，１４を取付けてパネル下端に固定することもある。
【００１８】
図６はパネル３ａ，３ｂの連結構造を示す断面図、正面図、及び底面図である。このように、両パネル３ａ，３ｂは上連結金具１０及び下連結金具１１を介して連結するだけで簡単に組み立てることが出来る。具体的な据付作業手順は自由であるが、例えば、一方のパネル３ａに下連結金具１１を取付けてアジャスターネジ４にて支え、該パネル３ａから側方へ延びる下連結金具１１に他のパネル３ｂを載せることが出来る。上連結金具１０は後で取付けてツマミネジ１４，１４を締めることが出来る。
【００１９】
ここで、パネル３ａ，３ｂの横桟８にはＬ型ガイド１５，１５が両面側に対を成して起立し、上連結金具１０及び下連結金具１１はこのＬ型ガイド１５，１５・・間に嵌って取付けられる。そして、外れないようにツマミネジ１４，１４が締められ、アジャスターネジ４，４が取付けられる。両パネル３ａ，３ｂの連結部では下連結金具１１にアジャスターネジ４，４が取付けられてパネル３ａ，３ｂが適当な高さに支持される。
【００２０】
しかし、上下連結金具１０，１１が要らない脚体１の先端では、縦桟７の下端に取付けられるキャップ１６に埋着されているナット１７に螺合してアジャスターネジ４が取付けられる。図４に示したパネル３は、縦桟下端に設けたキャップにアジャスターネジ４が取付けられている場合である。図７はパネル３ａとパネル３ｂの突合せ側端部を示す断面拡大図である。パネル３ａ，３ｂの縦桟７，７の側端は開口していて、この開口にはキャップ１８，１８が嵌着している。
【００２１】
該キャップ１８は２本の脚１９，１９を有し、該脚１９，１９が開口に嵌って先端ツメ２０，２０が係止片２１，２１に係止して取付けられる。該キャップ１８，１８は樹脂製であって、両パネル３ａ，３ｂは該キャップ１８，１８を介して当接している。すなわち、キャップ面は縦桟７より僅かに突出している為に、該キャップ１８，１８が互いに当接してパネル３ａ，３ｂが連結される。従って、アルミ製の縦桟７，７にキズが付くことはなく、摩擦係数の高い樹脂製キャップ同士が当接することで連結するパネル３ａ，３ｂの位置ズレが防止される。
【００２２】
前記実施例はパネル３ａ，３ｂが直線状に連結した脚体部分であるが、図８はパネル３ａ，３ｂがＬ型に連結した脚体部分である。同図は底面を示しているが、一方のパネル３ａの縦桟７の側面に他方のパネル３ｂの先端が当接している。すなわち、パネル３ｂの側端キャップ１８がパネル３ａの縦桟側面に当接した状態で連結している。
【００２３】
この場合、下連結金具２２はＬ型形状を成していて、アジャスターネジ４及びツマミネジ１４が取付けられ、そしてＬ型形状の下連結金具先端に形成している係止ツメ１２，１２２はパネル３ａ，３ｂの溝に嵌って両パネル３ａ，３ｂが離れないように連結している。上連結金具も同じくＬ型形状を成して、その先端の係止ツメは溝に嵌り、ツマミネジにて外れないように固定される。
【００２４】
図９はパネル３ａ，３ｂ，３ｃがＴ型を成した脚体部分であり、底面を表している。パネル３ａ，３ｂの連結形態は一直線を成し、これにパネル３ｃが垂直方向に連結している。パネル３ｃは両パネル３ａ，３ｂの縦桟７，７の突合せ位置に配置され、Ｔ型をした下連結金具２３が取付けられている。この下連結金具２３には３箇所にアジャスターネジ４，４・・及びツマミネジ１４，１４・・が設けられ、Ｔ型形状に連結したパネル３ａ，３ｂ，３ｃが離れないように連結される。
【００２５】
勿論、Ｔ型の下連結金具２３の各片先端には係止ツメ１２，１２・・が設けられ、パネル３ａ，３ｂ，３ｃに形成している溝に嵌っている。同じく上連結金具はパネル３ａ，３ｂ，３ｃの連結部上端位置に配置されて、先端の係止ツメは溝に嵌り、そしてツマミネジにて固定されている。
【００２６】
このように、本発明のカウンターテーブルの脚体１は複数枚のパネルを上連結金具と下連結金具を介して互いに連結して構成し、そして上端に設けた止金具に天板をネジ止めしている。
【図面の簡単な説明】
【００２７】
【図１】コ型脚体を有すカウンターテーブル。
【図２】Ｈ型脚体を有すカウンターテーブル。
【図３】Ｌ型脚体を有すカウンターテーブル。
【図４】脚体を構成するパネルの具体例。
【図５】パネルの連結構造。
【図６】パネルの連結構造を示す断面図。
【図７】パネルの突合せ部。
【図８】Ｌ型の連結形態。
【図９】Ｔ型の連結形態。
【図１０】従来のカウンターテーブル。
【図１１】従来のカウンターテーブル。
【図１２】図１０のカウンターテーブルと図１１のカウンターテーブルを組み合せた場合。
【符号の説明】
【００２８】
１  脚体
２  天板
３  パネル
４  アジャスターネジ
５  止金具
７  縦桟
８  横桟
９  ボード
10  上連結金具
11  下連結金具
12  係止ツメ
13  溝
14  ツマミネジ
15  Ｌ型ガイド
16  キャップ
17  ナット
18  キャップ
19  脚
20  先端ツメ
21  係止片
22  下連結金具
23  下連結金具
【図１】
2006061549.tif 000003
【図２】
2006061549.tif 000004
【図３】
2006061549.tif 000005
【図４】
2006061549.tif 000006
【図５】
2006061549.tif 000007
【図６】
2006061549.tif 000008
【図７】
2006061549.tif 000009
【図８】
2006061549.tif 000010
【図９】
2006061549.tif 000011
【図１０】
2006061549.tif 000012
【図１１】
2006061549.tif 000013
【図１２】
2006061549.tif 000014